(57)【要約】【課題】通常水位のごみはディスク積層形スクリーンにより除去するとともに、ごみの除去必要以上の場合には水位上昇を防止し、越流水に含まれるごみの濾過除去を高効率で行うことができる越流水の除塵装置を提供すること。【解決手段】越流堰１上部の流水路Ｓ側にディスク積層形スクリーン２を配設するとともに、ディスク積層形スクリーン２の上部に、ディスク積層形スクリーン２を越えるごみをせき止める堰板３を昇降可能に配設し、堰板３に、所定水位を超える越流水により堰板３を浮上させるフロート４を配設する。【選択図】図２
2006274633.tif 000002
【特許請求の範囲】
【請求項１】
越流堰上部の流水路側にスクリーンを配設するとともに、該スクリーンの上部に、スクリーンを越えるごみをせき止める堰板を昇降可能に配設し、該堰板に、所定水位を超える越流水により該堰板を浮上させる堰板浮上手段を配設したことを特徴とする越流水の除塵装置。
【請求項２】
堰板から流水路側にステーを延設するとともに、該ステーの先端側を枢支して堰板を揺動可能に支持したことを特徴とする請求項１記載の越流水の除塵装置。
【請求項３】
スクリーンが、ディスク積層形スクリーンからなることを特徴とする請求項１又は２記載の越流水の除塵装置。
【請求項４】
堰板浮上手段が、フロートからなることを特徴とする請求項１、２又は３記載の越流水の除塵装置。
【発明の詳細な説明】
【技術分野】
【０００１】
本発明は、越流水の除塵装置に関し、特に、通常水位のごみはディスク積層形スクリーンにより除去するとともに、ごみの除去必要以上の場合には水位上昇を防止し、越流水に含まれるごみの濾過除去を高効率で行うことができる越流水の除塵装置に関するものである。
【背景技術】
【０００２】
従来、分流式下水道の管渠施設においては、雨天時における雨水を一時的に雨水貯留池に貯留したり、また、合流式管渠の雨水吐き室では、雨水流出量の内、処理場で汚水として扱う下水量以上の雨水を放流管渠によって河川、海域、湖沼等に放流するようにしている。
これらの施設では、雨水貯留池への流入部や放流管渠への流入部に適当な高さの越流堰を設け、該越流堰で雨水流入量を調整するようにはしているが、降雨初期の増水に伴う前記施設への越流水には、分流式下水道の雨水管渠では道路面のごみが、また、合流式管渠では道路面のごみや汚物等が含まれている。
これらのごみ等は、越流部分から貯留池や河川等へと流れ込むため、利水における障害となったり、放流水域を汚濁するという問題がある。
【０００３】
そのため、このような利水上の障害や放流水域の汚濁を防止する目的で、雨水に含まれるごみ等が貯留池や河川等へ流入するのを防ぐように、合流管渠の主幹線から越流雨水幹線への落ち口等に除塵装置を配設している。
このような除塵装置としては、例えば、越流雨水幹への落ち口等に、バースクリーンを垂直あるいは上部が後退するように傾斜して配設し、バースクリーンに捕捉されたごみを、バースクリーンに沿って移動するようにしたレーキ装置にて掻き揚げ排出するようにしたバースクリーン式除塵装置を採用している。
【０００４】
ところで、上記従来のバースクリーン式除塵装置においては、除去すべき流量に合わせてスクリーン高さなどが予め定められているが、雨水貯留池に流入する雨水や、放流管渠を経て河川・湖沼等に放流する雨水の流量は不確定任意であり、一定水位以上の処理は困難であることから、スクリーンの上部でオーバーフローが頻繁に生じるなどの問題があった。
【発明の開示】
【発明が解決しようとする課題】
【０００５】
本発明は、上記従来の越流水の除塵装置が有する問題に鑑み、通常水位のごみはディスク積層形スクリーンにより除去するとともに、ごみの除去必要以上の場合には水位上昇を防止し、越流水に含まれるごみの濾過除去を高効率で行うことができる越流水の除塵装置を提供することを目的とする。
【課題を解決するための手段】
【０００６】
上記目的を達成するため、本発明の越流水の除塵装置は、越流堰上部の流水路側にスクリーンを配設するとともに、該スクリーンの上部に、スクリーンを越えるごみをせき止める堰板を昇降可能に配設し、該堰板に、所定水位を超える越流水により該堰板を浮上させる堰板浮上手段を配設したことを特徴とする。
【０００７】
この場合において、堰板から流水路側にステーを延設するとともに、該ステーの先端側を枢支して堰板を揺動可能に支持することができる。
【０００８】
また、スクリーンを、ディスク積層形スクリーンから構成することができる。
【０００９】
また、堰板浮上手段を、フロートから構成することができる。
【発明の効果】
【００１０】
本発明の越流水の除塵装置によれば、越流堰上部の流水路側にスクリーンを配設するとともに、該スクリーンの上部に、スクリーンを越えるごみをせき止める堰板を昇降可能に配設し、該堰板に、所定水位を超える越流水により該堰板を浮上させる堰板浮上手段を配設するようにしているので、通常水位の越流水に含まれるごみはにより除塵するとともに、スクリーンを越えるような非常高水位の場合には、上部の堰板を堰板浮上手段により浮上させ、堰板とスクリーンの隙間から放水し、水位の上昇を防止することができる。
これにより、通常水位のごみはスクリーンにより除去するとともに、ごみの除去必要以上の場合には水位上昇を防止し、越流水に含まれるごみの濾過除去を高効率で行うことができる。
【００１１】
また、堰板から流水路側にステーを延設するとともに、該ステーの先端側を枢支して堰板を揺動可能に支持することにより、増水時の堰板の昇降を円滑に行うことができる。
【００１２】
また、スクリーンを、ディスク積層形スクリーンから構成することにより、越流水に含まれるごみを効率よく除塵することができる。
【００１３】
また、堰板浮上手段を、フロートから構成することにより、非常高水位の場合に、無動力で、かつ、自動的に堰板を越流堰から浮上させることができる。
【発明を実施するための最良の形態】
【００１４】
以下、本発明の越流水の除塵装置の実施の形態を、図面に基づいて説明する。
【実施例１】
【００１５】
図１〜図３に、本発明の越流水の除塵装置の一実施例を示す。
この越流水の除塵装置は、越流堰１上部の流水路Ｓ側にディスク積層形スクリーン２を配設するとともに、該ディスク積層形スクリーン２の上部に、ディスク積層形スクリーン２を越えるごみをせき止める堰板３を昇降可能に配設し、該堰板３に、所定水位を超える越流水により該堰板３を浮上させる堰板浮上手段としてのフロート４を配設している。
堰板３は、流水路Ｓ側にステー５を延設するとともに、該ステー５の先端側をシャフト６により枢支することにより、揺動可能に支持されている。
【００１６】
ディスク積層形スクリーン２は、円板２１を定ピッチで回転軸２２に串装してなる複数の多重回転円板式スクリーンを、各スクリーンの円板間隙間に隣接するスクリーンの円板２１が互いに挿入するように並設するとともに、各スクリーンの回転方向が同一になるようにモータ（図示省略）により回転駆動する。
ディスク積層形スクリーン２は、越流雨水幹への落ち口等に形成した越流堰１の前方に、ごみ残留防止板７上に位置するように設置されている。
このディスク積層形スクリーン２は越流堰１と所定間隔をあけて配設されており、該ディスク積層形スクリーン２の上部の高さは、特に限定されるものではないが、本実施例では、越流堰１の高さと略同じ高さになるようにしている。
ごみ残留防止板７は、図３に示すように、前部を低く傾斜して上に滞留したごみを排出するように構成されているが、この際、ディスク積層形スクリーン２は、適当な構造物によって図示の位置に支持されるようにする。
【００１７】
また、このディスク積層形スクリーン２を越流堰１の前方位置に配設する際には、越流雨水の水位は、特に限定されるものではないが、例えば、図１に示すように、ディスク積層形スクリーン２の上部位置以下の場合、通常処理を行い、越流雨水に含まれるごみ（來雑物）を濾過により除去できるように濾過部とする。
これに対し、図２に示すように、越流雨水の水位がディスク積層形スクリーン２の上部位置を大きく越える場合、フロート４により堰板３が浮上して異常時処理を行い、水位上昇を軽減させるために、堰板３とディスク積層形スクリーン２の間から非常放流をできるような構造とする。
図３は、降雨終了時などの水位低下に応じてごみ残留防止板７によりディスク積層形スクリーン２の後方のごみを本流側へ返送できる状態を示す。
このように、本実施例の越流水の除塵装置は、ごみに対しては降雨初期のごみの流入が多い場合を濾過除去し、豪雨時は水理的影響を最小限に抑えることができる。
【００１８】
かくして、本実施例の越流水の除塵装置は、越流堰１上部の流水路Ｓ側にディスク積層形スクリーン２を配設するとともに、該ディスク積層形スクリーン２の上部に、ディスク積層形スクリーン２を越えるごみをせき止める堰板３を昇降可能に配設し、該堰板３に、所定水位を超える越流水により該堰板３を浮上させるフロート４を配設することから、通常水位の越流水に含まれるごみはディスク積層形スクリーン２により除塵するとともに、ディスク積層形スクリーン２を越えるような非常高水位の場合には、上部の堰板３をフロート４により浮上させ、堰板３とディスク積層形スクリーン２の隙間から放水し、水位上昇を防止することができる。
これにより、通常水位のごみはディスク積層形スクリーン２により除去するとともに、ごみの除去必要以上の場合には水位上昇を防止し、越流水に含まれるごみの濾過除去を高効率で行うことができる。
また、堰板３から流水路Ｓ側にステー５を延設するとともに、該ステー５の先端側を枢支して堰板３を揺動可能に支持することにより、増水時の堰板３の昇降を円滑に行うことができる。
【００１９】
以上、本発明の越流水の除塵装置について、その実施例に基づいて説明したが、本発明は上記実施例に記載した構成に限定されるものではなく、例えば、スクリーンに、ディスク積層形スクリーン以外のバースクリーン等の他の形式のスクリーンを使用したり、堰板浮上手段に、フロート以外の動力機構を備えた堰板浮上手段を使用する等、その趣旨を逸脱しない範囲において適宜その構成を変更することができる。
【産業上の利用可能性】
【００２０】
以上、本発明の越流水の除塵装置は、水位上昇に対する変動が少なく、あらゆる水量に対する濾過除去効果が得られるという信頼性の高い特性を有していることから、越流水の除塵の用途に広く好適に用いることができる。
【図面の簡単な説明】
【００２１】
【図１】本発明の越流水の除塵装置の一実施例において、越流水が通常水位のときの状態を示す断面図である。
【図２】同実施例の越流水の除塵装置において、越流水が非常高水位のときの状態を示す断面図である。
【図３】同実施例の越流水の除塵装置において、ごみ残留防止板を前傾させたときの状態を示す断面図である。
【符号の説明】
【００２２】
１    越流堰
２    ディスク積層形スクリーン
２１  円板
２２  回転軸
３    堰板
４    フロート（堰板浮上手段）
５    ステー
６    シャフト
７    ごみ残留防止板
Ｓ    流水路
【図１】
2006274633.tif 000003
【図２】
2006274633.tif 000004
【図３】
2006274633.tif 000005